(57)【特許請求の範囲】
【請求項１】
上方が開放した有底の外筒と、該外筒の下端側に形成した浄化水流出穴と、上方開口が汚水流入口になり、前記外筒内に立設されて外筒との間に薬剤収容空間を形成する内筒と、該内筒の下端側に形成され、前記薬剤収容空間に連通する汚水流出部とから構成してなる汚水浄化槽用薬筒。
【請求項２】
前記内筒の汚水流出部は周方向に離間して複数配設してあることを特徴とする請求項１記載の汚水浄化槽用薬筒。
【請求項３】
前記薬剤収容空間の開口幅は、大きさの異なる種々の薬剤の内の最も大きい薬剤を収容可能に設定してあることを特徴とする請求項１記載の汚水浄化槽用薬筒。
【請求項４】
前記内筒は、前記汚水流出部の開口面積を拡縮調整可能に構成してあることを特徴とする請求項１記載の汚水浄化槽用薬筒。
【発明の詳細な説明】
【０００１】
【発明の属する技術分野】
本発明は、汚水浄化槽に設け、殺菌剤等の浄化薬剤を汚水に溶解させるための汚水浄化槽用薬筒に関する。
【０００２】
【従来の技術】
汚水浄化槽において汚水の殺菌、その他の目的の薬剤を溶解するために薬筒を用いることが従来より行われている。従来の薬筒は、内部が薬剤収容部になり、下端側に開口を形成した縦長の筒に形成し、汚水浄化槽を構成する消毒室の排水樋に下端側を沈めた状態で立設し、上流側の沈殿室から流入する汚水に薬剤を溶解させるようにしてある。そして、汚水浄化槽は使用等の状況によって汚水量が異なることや、薬剤は成分、大きさ、形状等が異なる種々のものがあることから、例えば特開平９−１５０１６０号公報には薬剤を収容する内円筒と内円筒の支持台となる外円筒から薬筒を構成し、内円筒の下部側に周方向に離間してスリットを設け、外円筒に面積の異なる開口部を設け、外円筒に対して内円筒を昇降可能に構成することにより、溶解性の異なる種々の薬剤を使用した場合でも、流入する汚水に対して安定した薬剤濃度を得ることができるようにした薬筒が開示されている。
【０００３】
【発明が解決しようとする課題】
ところで、汚水浄化槽の汚水処理量は状況によって変動するため、使用する薬剤も種々の大きさのものを用意する必要があるが、従来技術の薬筒は収容できる薬剤の大きさが薬筒の内径によって限られるため、多種類の薬剤を選択して使用しなければならず管理が面倒であるという欠点がある。また、汚水に接した薬剤は水分を吸収して膨張することから、膨張した半溶解の薬剤が開口を閉塞してしまうという欠点がある。更に、従来の薬筒は細い縦長の薬剤収容部に薬剤を縦方向に積み重ねた状態で収容するため、薬剤が開口を閉塞した現象が生じた場合には薬剤溶解が阻止されて浄化されない汚水が流出してしまうという欠点があり、このための保守管理が必要とされるという欠点がある。
【０００４】
本発明は上述した従来技術の諸欠点に鑑みなされたもので、汚水を内筒から外筒側に流出させて外筒内で薬剤を溶解するので汚水流出部が目詰まりすることなく薬剤を確実に溶解できるし、収容した薬剤を均等に溶解することができるので使用上の確実性がある、大きさの異なる薬剤に拘らず全ての薬剤に使用することができるので管理が容易である、内筒に大量の汚水が流入してオーバーフローする場合でも薬剤を溶解することができる、薬剤の補給を容易に行うことができる、という汚水浄化槽用薬筒を提供することを目的とする。
【０００５】
【課題を解決するための手段】
上述した課題を解決するために構成された本発明の手段は、上方が開放した有底の外筒と、該外筒の下端側に形成した浄化水流出穴と、上方開口が汚水流入口になり、前記外筒内に立設されて外筒との間に薬剤収容空間を形成する内筒と、該内筒の下端側に形成され、前記薬剤収容空間に連通する汚水流出部とからなる。
【０００６】
そして、前記内筒の汚水流出部は周方向に離間して複数配設するとよい。このように構成することにより、薬剤収容空間に薬剤を偏って収容した場合でも確実に溶解することができる。
【０００７】
また、前記薬剤収容空間の開口幅は、大きさの異なる種々の薬剤の内の最も大きい薬剤を収容可能に設定するとよい。
【０００８】
更に、前記内筒は、前記汚水流出部の開口面積を拡縮調整可能に構成するとよい。
【０００９】
【発明の実施の形態】
以下、本発明の実施の形態について図面に基づき詳述する。図１は第１の実施の形態を示す。図において、１は合成樹脂製の外筒で、該外筒１は上方が開放した円筒部２と、該円筒部２の下端に一体に設けた底部３とから有底の筒体に構成してある。そして、円筒部２の下端側には浄化水流出穴４が形成してあり、浄化水流出穴４に排水樋口５が設けてある。
【００１０】
６は前記外筒１との間に円環状の薬剤収容空間Ａを形成する合成樹脂製の内筒を示す。該内筒６は外筒１より小径の円筒体に成型したもので、上端の開口は汚水流入口６Ａになっており、内筒６の下端側６Ｂには周方向に離間して複数の汚水流出穴７、７、・・・が形成してある。そして、上記内筒６は外筒１内に同一中心に位置して下端を外筒１の底部３上に立設し、一対の支持片８、８により円筒部２に固定してある。
【００１１】
なお、薬剤Ｂには直径が異なる複数種があるから、外筒１と内筒６との間に画成する薬剤収容空間Ａの開口幅Ｌは、収容する薬剤Ｂのうち直径が最も大きい型の薬剤Ｂを基準にして外筒１と内筒６の径を設定するとよい。
【００１２】
また、内筒６に形成する汚水流出穴７、７、・・・は横一列に形成したが、上、下２列に形成してもよいものである。
【００１３】
本実施の形態に係る汚水浄化槽用薬筒は上述の構成からなり、汚水浄化槽の消毒室に設置し、内筒６に浄化すべき汚水を上方から流入させる。汚水流入口６Ａから内筒６に流入した汚水は下端側に周方向に離間して形成した複数の汚水流出穴７、７、・・・から薬剤収容空間Ａに３６０度方向に流出するから、薬剤収容空間Ａに入れた薬剤Ｂ、Ｂ、・・を均等に溶解して汚水を殺菌することができる。従って、一部の薬剤Ｂが溶解しない溶解むらが生じて汚水流出穴７が詰まるといった事態を解消できる。更に、薬剤収容空間Ａに薬剤Ｂを偏って入れた場合でも確実に溶解することができる。
【００１４】
また、薬剤Ｂは外筒１と内筒６の間の薬剤収容空間Ａで溶解するから、内筒６に大量の汚水が流入して内筒６からオーバーフローした場合でも、薬剤Ｂを溶解することができるので、汚水が浄化されずに外部に放流される事態を防止することができる。
【００１５】
次に、図２は第２の実施の形態を示す。なお、以下に説明する実施の形態において第１の実施の形態の構成要素と同一の構成要素には同一の符号を付して援用し、その説明を省略する。図において、１１は外筒１との間に円環状の薬剤収容空間Ａを形成した内筒を示す。１２は該内筒１１を構成し、外筒１の底部３に同一中心に立設した固定筒体で、該固定筒体１２は後述する可動筒体１４より軸方向長さを短く設定した円筒からなっており、該固定筒体１２の下端側１２Ａには周方向に離間して冂状切り欠きからなる複数の汚水流出部１３、１３、・・が形成してある。そして、固定筒体１２は外筒１の底部３に接着その他の固着手段により固定してある。
【００１６】
１４は前記固定筒体１２に矢示イ、ロ方向に回動可能に挿嵌され、外筒１との間に円環状の薬剤収容空間Ａを形成する合成樹脂製の可動筒体を示す。該可動筒体１４は固定筒体１２より小径の円筒に成型してあり、上端の開口は汚水流入口１４Ａになっている。また、可動筒体１４の下端側は固定筒体１２の各汚水流出部１３と同様の形状からなる開口１４Ａ、１４Ａ、・・を周方向に離間して形成することにより、複数の絞り部１４Ｂ、１４Ｂ、・・になっている。そして、可動筒体１４を矢示イ又はロ方向に回動して各絞り部１４Ｂが固定筒体１２の汚水流出部１３を部分的にまた全面的に閉塞することにより、内筒１１は各汚水流出部１３の開口面積を拡縮調整し、内筒１１から薬剤収容空間Ａに流出する汚水の量を調整することができる。
【００１７】
本実施の形態では、外筒１と内筒１１との間に薬剤収容空間Ａを形成して薬剤Ｂを収容し、内筒１１から薬剤収容空間Ａに汚水を流入させる点は第１の実施の形態と異なるところはないが、汚水浄化槽が処理する汚水の流量に応じて可動筒体１４を回転し、汚水流出部１３の開口面積を拡縮調節することにより内筒１１から外筒１内への汚水流出量、即ち薬剤Ｂの溶解量を無段階に制御することができる。
【００１８】
また、図３及び図４は第３の実施を形態を示す。図において、２１は外筒１との間に円環状の薬剤収容空間Ａを形成した内筒を示す。２２は該内筒２１を構成する合成樹脂製の固定筒体で、該固定筒体２２は外筒１より小径の円筒体に成型してあり、上端開口は汚水流入口２２Ａになり、下端側２２Ｂには周方向に離間して冂状切り欠きからなる複数の汚水流出部２３、２３、・・が形成してある。また、固定筒体２２の外周面には各汚水流出部２３より上方に位置して雌ねじ部２２Ｃが螺旋状に形成してある。そして、上述の構成からなる固定筒体２２は外筒１の底部３に同一中心に固着して立設してある。
【００１９】
２４は前記固定筒体２２に螺合した可動筒体で、該可動筒体２４は固定筒体２２より短尺の円筒からなり、内周面２４Ａには前記雌ねじ部２２Ｃに噛合する雄ねじ部２４Ｂが形成してある。
【００２０】
なお、本実施の形態において、固定筒体２２を外筒１に支持させる支持片８は可動筒体２４の操作性を考慮して一側にのみ設けてある。
【００２１】
本実施の形態は上述の構成からなり、外筒１と内筒２１との間に薬剤収容空間Ａを形成して薬剤Ｂを収容し、内筒２１から薬剤収容空間Ａに汚水を流入させる点は第１の実施の形態と異なるところはない。しかし、本実施の形態による内筒２１は、汚水浄化槽の処理量に応じて可動筒体２４を矢示イ、ロ方向に回動して矢示ハ、ニ方向に昇降させることにより、汚水流出部２３、２３、・・の開口面積を拡縮調整し、各汚水流出部２３から薬剤収容空間Ａへの汚水の流入量を無段階に調整して薬剤Ｂの溶解量を制御することができる。
【００２２】
【発明の効果】
本発明は以上詳述した如く構成したから、下記の諸効果を奏する。
（１）内筒と外筒との間に薬剤収容空間を形成し、汚水を内筒から外筒側に流出させて薬剤収容空間で薬剤を溶解するので、汚水流出口が目詰まりすることなく薬剤を確実に溶解することができる。
（２）薬剤収容空間は円環状に形成して薬剤を面状に収容するから、薬剤を均等に溶解することができる。
（３）内筒に周方向に離間して複数の汚水流出部を形成したから、薬剤収容空間に偏って薬剤を収容した場合でも薬剤を溶解することができる。
（４）内筒の外側に薬剤収容空間を形成することにより内筒に大量の汚水が流入してオーバーフローする場合でも薬剤を溶解することができるから、汚水が浄化されずに外部に放流される事態を防止することができる。
（５）薬剤収容空間の開口幅は、大きさの異なる種々の薬剤の内の最も大きい薬剤を収容可能に設定することにより、大きさの異なる全ての薬剤を収容することができるから、従来技術で必要であった薬剤補給時の負担を解消することができる。
（６）外筒と内筒により形成される薬剤収容空間は上方が開放し、しかも円環状をなしているから、薬剤の補給を容易に行うことができる。
【図面の簡単な説明】
【図１】図１は本発明の第１の実施の形態に係り、汚水浄化槽用薬筒の一部を破断にして示す全体構成図である。
【図２】図２は第２の実施の形態に係り、外筒を縦断面にして示す汚水浄化槽用薬筒の全体構成図である。
【図３】図３及び図４は第３の実施の形態に係り、図３は汚水浄化槽用薬筒の外観斜視図である。
【図４】汚水浄化槽用薬筒の一部を破断にして示す全体構成図である。
【符号の説明】
１        外筒
６、１１、２１    内筒
６Ａ、１４Ａ、２２Ａ    汚水流入口
７、１３、２３    汚水流出部
Ａ        薬剤収容空間Ａ
Ｂ        薬剤
Ｌ        開口幅
【図１】
0003543305.tif 000002
【図２】
0003543305.tif 000003
【図３】
0003543305.tif 000004
【図４】
0003543305.tif 000005